【手続補正書】
【提出日】平成24年5月8日(2012.5.8)
【手続補正１】
【補正対象書類名】特許請求の範囲
【補正対象項目名】全文
【補正方法】変更
【補正の内容】
【特許請求の範囲】
【請求項１】
紙文書を読込むことで得られる文書内容情報から、電子文書を生成するために指定された設定内容を含む電子文書生成用の指示内容情報に従って、該電子文書を生成する手段と、
前記指示内容情報から、前記紙文書の説明情報を生成する手段と、
前記電子文書を生成したことを外部の装置に通知するためのデータであるフィードデータを、前記説明情報を参照することで生成する手段と、
前記外部の装置からの要求に応じて、前記フィードデータを前記外部の装置に送信する手段と
を備えることを特徴とする画像処理装置。
【請求項２】
更に、
前記画像処理装置に既に登録されている電子文書に対する更新時、若しくは電子文書を追加登録する際に、対応するフィードデータを修正する手段
を備えることを特徴とする請求項１に記載の画像処理装置。
【請求項３】
更に、
電子文書の公開さきから電子文書の格納フォルダの一覧要求を受信した場合、各格納フォルダのフィードデータへの参照情報を含むフォルダ一覧画面を生成する手段
を備えることを特徴とする請求項１に記載の画像処理装置。
【請求項４】
更に、
前記フィードデータに記述された電子文書への参照情報を用いて電子文書の送信要求を前記外部の装置から受信した場合、当該送信要求に対応する電子文書を前記外部の装置に送信する手段
を備えることを特徴とする請求項１に記載の画像処理装置。
【請求項５】
更に、
ネットワークにおける他の画像処理装置で、電子文書が新規に生成された場合、当該他の画像処理装置から送信されたフィードデータの追加要求を受信し、電子文書に対応するフィードデータの記述を追加する手段
を備えることを特徴とする請求項１に記載の画像処理装置。
【請求項６】
更に、
ネットワークにおける他の画像処理装置で、電子文書が更新、追加された場合、当該他の画像処理装置から送信されたフィードデータの修正要求を受信し、電子文書に対応するフィードデータの記述を修正する手段
を備えることを特徴とする請求項２に記載の画像処理装置。
【請求項７】
更に、
電子文書を新規に作成した場合、ネットワークにおける他の画像処理装置に、フィードデータの記述の追加要求を送信する手段
を備えることを特徴とする請求項１に記載の画像処理装置。
【請求項８】
更に、
電子文書を更新、追加された場合、ネットワークにおける他の画像処理装置に、フィードデータの記述の修正要求を送信する手段
を備えることを特徴とする請求項２に記載の画像処理装置。
【請求項９】
前記フィードデータは、ATOM Syndication FormatもしくはRSSの形式で記述されていることを特徴とする請求項１乃至８の何れか１項に記載の画像処理装置。
【請求項１０】
前記追加要求は、ATOM Publishing Protocolで行われることを特徴とする請求項７に記載の画像処理装置。
【請求項１１】
前記修正要求は、ATOM Publishing Protocolで行われることを特徴とする請求項８に記載の画像処理装置。
【請求項１２】
前記フォルダ一覧画面は、ＨＴＭＬで記述されていることを特徴とする請求項３に記載の画像処理装置。
【請求項１３】
画像処理装置が行う画像処理方法であって、
前記画像処理装置の電子文書生成手段が、紙文書を読込むことで得られる文書内容情報から、電子文書を生成するために指定された設定内容を含む電子文書生成用の指示内容情報に従って、該電子文書を生成する工程と、
前記画像処理装置の説明情報生成手段が、前記指示内容情報から、前記紙文書の説明情報を生成する工程と、
前記画像処理装置のフィードデータ生成手段が、前記電子文書を生成したことを外部の装置に通知するためのデータであるフィードデータを、前記説明情報を参照することで生成する工程と、
前記画像処理装置の送信手段が、前記外部の装置からの要求に応じて、前記フィードデータを前記外部の装置に送信する工程と
を備えることを特徴とする画像処理方法。
【請求項１４】
コンピュータを、請求項１乃至１２の何れか１項に記載の画像処理装置の各手段として機能させるためのコンピュータプログラム。
【請求項１５】
請求項１４に記載のコンピュータプログラムを格納した、コンピュータ読み取り可能な記憶媒体。
【手続補正２】
【補正対象書類名】明細書
【補正対象項目名】０００６
【補正方法】変更
【補正の内容】
【０００６】
本発明の目的を達成するために、例えば、本発明の画像処理装置は、以下の構成を備える。即ち、紙文書を読込むことで得られる文書内容情報から、電子文書を生成するために指定された設定内容を含む電子文書生成用の指示内容情報に従って、該電子文書を生成する手段と、前記指示内容情報から、前記紙文書の説明情報を生成する手段と、前記電子文書を生成したことを外部の装置に通知するためのデータであるフィードデータを、前記説明情報を参照することで生成する手段と、前記外部の装置からの要求に応じて、前記フィードデータを前記外部の装置に送信する手段とを備えることを特徴とする。
【手続補正３】
【補正対象書類名】明細書
【補正対象項目名】００１５
【補正方法】変更
【補正の内容】
【００１５】
・  公開フォルダ一覧表１１４
・  文書生成オプション一覧表１１５
・  文書生成オプション変換表１１６
【手続補正４】
【補正対象書類名】明細書
【補正対象項目名】００３４
【補正方法】変更
【補正の内容】
【００３４】
メニュー２０３は、生成モードを１つ選択するためのものである。生成モードには、新規の電子文書作成（「新規」モード）、既に公開フォルダに保存されている電子文書の新バージョンの電子文書作成（「更新」モード）、既に公開フォルダに保存されている電子文書の別形式の電子文書作成（「追加」モード）、がある。
【手続補正５】
【補正対象書類名】明細書
【補正対象項目名】００４０
【補正方法】変更
【補正の内容】
【００４０】
次に、ステップＳ９０６における処理の詳細について、図１１を用いて説明する。図１１は、ステップＳ９０６における処理の詳細を示すフローチャートである。ユーザが入出力装置１７０を用いて画面２００におけるメニュー２０３を操作し、「新規」を選択した後、「次へ」ボタン２０４を指示すると、ステップＳ１０００では、入出力装置１７０は、自身が有するタッチパネルに画面２５０を表示する。
【手続補正６】
【補正対象書類名】明細書
【補正対象項目名】００４４
【補正方法】変更
【補正の内容】
【００４４】
そしてユーザが入出力装置１７０を用いて「生成開始」ボタン２５５を指示すると、ステップＳ１００３の処理が開始される。ステップＳ１００３では、電子文書形式指定部１１１は、ステップＳ１００１，Ｓ１００２で取得したそれぞれを文書生成オプション一覧表１１５に登録し、その後、文書読込部１１２に読込の指示を行う。文書読込部１１２はこの読込の指示を受けると、セットされた紙文書の読込を行い、この紙文書に記されている情報を画像として取得する。そして文書読込部１１２はこの読込により取得した画像を後段の電子文書生成部１１３に送出し、電子文書の生成を要求する。
【手続補正７】
【補正対象書類名】明細書
【補正対象項目名】００５７
【補正方法】変更
【補正の内容】
【００５７】
ステップＳ１１０３では、電子文書形式指定部１１１は、ステップＳ１１０１，Ｓ１１０２で取得したそれぞれを文書生成オプション一覧表１１５に登録し、その後、文書読込部１１２に読込の指示を行う。文書読込部１１２はこの読込の指示を受けると、セットされた紙文書の読込を行い、この紙文書に記されている情報を画像として取得する。そして文書読込部１１２はこの読込により取得した画像を後段の電子文書生成部１１３に送出し、電子文書の生成を要求する。
【手続補正８】
【補正対象書類名】明細書
【補正対象項目名】００６０
【補正方法】変更
【補正の内容】
【００６０】
次に、ステップＳ１１０６では、このエントリの更新要求を受けたフィードエントリ更新部１２０は、指定された公開フォルダのフィードデータの検索を、フィードデータ選択部１２１に要求する。
【手続補正９】
【補正対象書類名】明細書
【補正対象項目名】００９２
【補正方法】変更
【補正の内容】
【００９２】
記憶装置１５４０には、電子文書生成装置１５００が生成した電子文書１５４１が保存されている。もちろん、後述する処理において必要となる情報についても、この記憶装置１５４０に格納するようにしても良い。本実施形態では、この記憶装置１５４０は、ハードディスクドライブ装置としているが、ＣＤ−ＲＯＭやＤＶＤ−ＲＯＭ等、その他の種別の記憶装置であっても良い。メモリ１５１０には、以下に列挙する各部がコンピュータプログラムの形態でもって格納されている。
【手続補正１０】
【補正対象書類名】明細書
【補正対象項目名】００９４
【補正方法】変更
【補正の内容】
【００９４】
・  公開フォルダ一覧表１５１４
・  文書生成オプション一覧表１５１５
・  文書生成オプション変換表１５１６